(57)【特許請求の範囲】
【請求項１】
容器本体と、容器本体の口筒部に取着された取付キャップと、取付キャップに装着されたポンプと、ポンプの上端に装着され、内容液を吐出する開口部を有するポンプヘッドとを備えるポンプ容器に設けられたアシスト機構であって、
アシスト機構は、取付キャップに取着されるガイド部材と、ガイド部材に対して上下方向に摺動可能な押し下げ部材とを備え、
ガイド部材は、一端部がガイド部材に固定され、中間部がポンプヘッドを押圧するように掛け渡された帯体を有し、
押し下げ部材は、帯体の他端部と接続された牽引部を有することを特徴とするポンプ容器のアシスト機構。
【請求項２】
ガイド部材は、帯体を２本以上備えることを特徴とする請求項１に記載のポンプ容器のアシスト機構。
【請求項３】
ガイド部材は、ポンプヘッドを挟んで対向する位置に一端部がそれぞれ固定された帯体を有することを特徴とする請求項２に記載のポンプ容器のアシスト機構。
【請求項４】
ポンプヘッドは、帯体をガイド溝により案内するレールガイドと、レールガイドの上を摺動する帯体を上方から規制する帯体押えカバーとを備えることを特徴とする請求項１〜３のいずれかに記載のポンプ容器のアシスト機構。
【請求項５】
帯体は、他端部に押し下げ部材の牽引部と接続される接続部を有し、
ガイド部材は、接続部を上下方向に案内する案内溝を有することを特徴とする請求項１〜４のいずれかに記載のポンプ容器のアシスト機構。
【請求項６】
ガイド部材は、ポンプヘッドの開口部を有するノズルが通過するスリット部を形成した円筒状のガイド筒を有し、
押し下げ部材は、ポンプヘッドの開口部を有するノズルが通過するスリット部を形成し、ガイド筒の内周に摺動自在に取り付けられたことを特徴とする請求項１〜５のいずれかに記載のポンプ容器のアシスト機構。
【請求項７】
アシスト機構は、支点と作用点と力点とを有する押圧レバー部材をさらに備え、
ガイド部材は、押圧レバー部材の支点を回動可能に支持する支持アームを有し、
押し下げ部材は、押圧レバー部材の作用点と接続された接続部を有することを特徴とする請求項１〜６のいずれかに記載のポンプ容器のアシスト機構。
【発明の詳細な説明】
【技術分野】
【０００１】
本発明は、ポンプ容器に関し、特に、ポンプ容器のポンプヘッドを押し下げる際の押し込み荷重を低減するためのポンプ容器のアシスト機構に関するものである。
【背景技術】
【０００２】
内容液を収容した容器本体の口筒部に装着された取付キャップと、下部に吸上げパイプを装着したポンプと、ポンプ上部に装着されたポンプヘッドとからなり、ポンプヘッドを押し下げることで、ポンプ機構が作動して容器本体内の内容液を吸上げパイプを介して吸上げ、該内容液をポンプヘッドのノズルから吐出させるポンプ容器は、従来から周知である。
【０００３】
さらに、ポンプ容器として、ポンプヘッドを押し下げることで、ポンプ機構が作動して容器本体内の内容液を吸上げパイプを介して吸上げ、気液混合室内で内容液と空気とを混合して、該混合液を発泡部材を通して発泡させ、ポンプヘッドのノズルから泡状の内容液を吐出させる泡放出用ポンプ容器も従来から知られている（例えば、特許文献１参照）。
【先行技術文献】
【特許文献】
【０００４】
【特許文献１】特開平９−３８５４３号公報
【発明の概要】
【発明が解決しようとする課題】
【０００５】
しかしながら、上記特許文献１記載の泡放出用ポンプ容器は、空気加圧用の大径シリンダーや発泡部材等を用いているため、内容液をそのまま吐出するポンプ容器よりもポンプヘッドの押し込み荷重が高くなり、泡状の内容液を吐出する際に、より強い押圧力が必要となる。
このように、ポンプの仕様や内容液の粘性等によって、ポンプ容器から吐出するためのポンプヘッドの押し込み荷重が高くなることがあり、力の弱い子供や高齢者にとってポンプヘッドを押し下げるのに苦労するという問題があった。
【０００６】
本発明は、上記問題を解決することを課題とし、内容液を吐出する際に押し下げるポンプヘッドの押し込み荷重を低減させることができるポンプ容器のアシスト機構を提供することを目的とする。
【課題を解決するための手段】
【０００７】
本発明は、上記の課題を解決するため、ポンプ容器のアシスト機構として、容器本体と、容器本体の口筒部に取着された取付キャップと、取付キャップに装着されたポンプと、ポンプの上端に装着され、内容液を吐出する開口部を有するポンプヘッドとを備えるポンプ容器に設けられたアシスト機構であって、アシスト機構は、取付キャップに取着されるガイド部材と、ガイド部材に対して上下方向に摺動可能な押し下げ部材とを備え、ガイド部材は、一端部がガイド部材に固定され、中間部がポンプヘッドを押圧するように掛け渡された帯体を有し、押し下げ部材は、帯体の他端部と接続された牽引部を有することを特徴とする構成を採用する。
【０００８】
ポンプ容器のアシスト機構の具体的実施形態として、ガイド部材は、帯体を２本以上備えることを特徴とする構成を採用し、ガイド部材は、ポンプヘッドを挟んで対向する位置に一端部がそれぞれ固定された帯体を有することを特徴とする構成を採用し、ポンプヘッドは、帯体をガイド溝により案内するレールガイドと、レールガイドの上を摺動する帯体を上方から規制する帯体押えカバーとを備えることを特徴とする構成を採用する。
【０００９】
ポンプ容器のアシスト機構の別の具体的実施形態として、帯体は、他端部に押し下げ部材の牽引部と接続される接続部を有し、ガイド部材は、接続部を上下方向に案内する案内溝を有することを特徴とする構成を採用し、ガイド部材は、ポンプヘッドの開口部を有するノズルが通過するスリット部を形成した円筒状のガイド筒を有し、押し下げ部材は、ポンプヘッドの開口部を有するノズルが通過するスリット部を形成し、ガイド筒の内周に摺動自在に取り付けられたことを特徴とする構成を採用する。
【００１０】
ポンプ容器のアシスト機構のさらに別の実施形態として、アシスト機構は、支点と作用点と力点とを有する押圧レバー部材をさらに備え、ガイド部材は、押圧レバー部材の支点を回動可能に支持する支持アームを有し、押し下げ部材は、押圧レバー部材の作用点と接続された接続部を有することを特徴とする構成を採用する。
【発明の効果】
【００１１】
本発明のポンプ容器のアシスト機構は、上記構成を採用することにより、帯体は、一端部が支点として機能し、他端部が力点として機能し、ポンプヘッドを押圧する中間部が作用点として機能する「てこの原理」を応用しているから、アシスト機構の押し下げ部材をガイド部材に対して押し下げる際の押し込み荷重は、内容液を吐出する際に押し下げるポンプ容器のポンプヘッドを直接押し下げる場合に比べて、概ね半分に低減することができる。
【００１２】
さらに、本発明のポンプ容器のアシスト機構は、押し下げ部材を押し込むのを補助するために、支点と作用点と力点とを有する押圧レバー部材を採用することにより、アシスト機構の押圧レバー部材を押し下げ部材に対して押し下げる際の押し込み荷重は、内容液を吐出する際に押し下げるポンプ容器のポンプヘッドを直接押し下げる場合に比べて、概ね４分の１に低減することができる。
また、本発明のポンプ容器のアシスト機構は、ポンプ容器に着脱可能であるから、力の弱い子供や高齢者がポンプ容器を使用するときだけ、装着することもできる。
【図面の簡単な説明】
【００１３】
【図１】ポンプ容器に装着した、本発明の第１実施例であるアシスト機構の断面を示す図であり、（ａ）は上面から見たＹ１−Ｙ１断面図であり、（ｂ）は正面から見たＸ１−Ｘ１断面図である。
【図２】ポンプ容器に装着した、本発明の第１実施例であるアシスト機構の側面断面図である。
【図３】本発明の第１実施例であるアシスト機構のガイド部材を示す図であり、（ａ）は上面図であり、（ｂ）は正面から見たＸ２−Ｘ２断面図であり、（ｃ）は側面から見たＸ３−Ｘ３断面図である。
【図４】本発明の第１実施例であるアシスト機構の帯体押えカバーおよびレールガイドを示す図であり、（ａ）は帯体押えカバーの上面図であり、（ｂ）は帯体押えカバーの正面断面図であり、（ｃ）はレールガイドの上面図であり、（ｄ）はレールガイドの正面断面図である。
【図５】本発明の第１実施例であるアシスト機構の押し下げ部材を示す図であり、（ａ）は正面断面図であり、（ｂ）は底面図であり、（ｃ）は図５（ａ）の要部拡大図であり、（ｄ）は図５（ｂ）の要部拡大図である。
【図６】本発明の第１実施例であるアシスト機構を組み立てた状態を示す正面断面図である。
【図７】ポンプ容器に装着した、本発明の第１実施例であるアシスト機構の押し下げ部材を押し下げた状態を示す正面断面図である。
【図８】ポンプ容器に装着した、本発明の第２実施例であるアシスト機構を示す図であり、（ａ）は上面図であり、（ｂ）は側面断面図である。
【図９】ポンプ容器に装着した、本発明の第２実施例であるアシスト機構を示す図であり、（ａ）は上面から見たＹ２−Ｙ２断面図であり、（ｂ）は正面から見たＸ４−Ｘ４断面図である。
【図１０】ポンプ容器に装着した、本発明の第２実施例であるアシスト機構のレバーを押し下げた状態を示す正面断面図である。
【発明を実施するための形態】
【００１４】
次に、本発明の実施形態について、実施例を示した図面を参照して説明する。
【実施例１】
【００１５】
図１および２において、Ａは内容液を収容する容器本体、Ｂは容器本体Ａに取着された取付キャップ、Ｃは取付キャップＢに装着されたポンプ、ＤはポンプＣの上端に設けられたポンプヘッド、ＥはポンプヘッドＤの押し下げをアシストするためのアシスト機構である。
なお、以下の説明において、図１（ａ）でみて、下方向を「前」とし、上方向を「後」とし、右方向を「右」とし、左方向を「左」とし、さらに、図１（ｂ）でみて、上方向を「上」とし、下方向を「下」とする。
【００１６】
本実施例のポンプ容器は、取付キャップＢと、ポンプＣと、ポンプヘッドＤとを組み立て、容器本体Ａに取着することによって構成される。
容器本体Ａは、有底筒状の形状で口筒部１と胴部２とを備え、口筒部１の外周には、取付キャップＢを螺合する雄ネジ（図示せず）が螺設されている。
【００１７】
取付キャップＢは、頂壁５と、頂壁５の中心部を貫き立設される案内筒６と、頂壁５の外周縁から下方に垂設される側周壁７とを備えている。
案内筒６は、外周で、後述するポンプヘッドＤの上下動を案内している。
側周壁７の内周には、容器本体Ａの口筒部１の外周に螺合する雌ネジ（図示せず）が螺設されている。
【００１８】
ポンプＣは、取付キャップＢの側周壁７の内周上端に装着された大径の空気用シリンダー１０の下部に、小径の液用シリンダー１１を同心円状に垂設している。
なお、ポンプＣ内の構造は、公知のものであって、特許文献１記載のものと同様に、気液混合室に、内容液とともに空気を送給し、混合された気液を発泡部材で泡状化し、ノズル等の開口部から吐出できるものであればよく、とくに限定されない。また、ポンプＣは、泡を吐出する構造に限らず、公知技術のポンプ機構を使用して、内容液を吸い上げ、そのまま吐出する構造のものでもよい。
【００１９】
ポンプヘッドＤは、片側にノズル１４の開口部１５を設けたヘッド部１６と、ヘッド部１６の下方に垂設された筒体１７とを備えている。
筒体１７の内周は、取付キャップＢの案内筒６の外周と僅かな隙間が設けられ、摺動自在に上下動するようになっている。
【００２０】
アシスト機構Ｅは、取付キャップＢの側周壁７に取着されるガイド部材Ｆと、ガイド部材Ｆに対して上下方向に摺動可能な押し下げ部材Ｇとから構成されている。
ガイド部材Ｆは、図３に示すように、上端部および下端部がともに開放され、全体として円筒状で、平面視で左右が矩形状に張り出した矩形状部２０ａおよび２０ｂが形成されたガイド筒２０を備えている。
矩形状部２０ａおよび２０ｂは、その内側に後述する押し下げ部材Ｇの上下動をガイドするために、上下方向に案内溝２０ｃおよび２０ｄが形成されている。
【００２１】
ガイド筒２０は、その内周下部の前部および後部に上部よりも内側が肉厚に形成された装着部２１と、ガイド筒２０の前面に形成され、ノズル１４の通過を許容するスリット部２２とを備えている。
さらに、ガイド部材Ｆは、ガイド筒２０の対向する矩形状部２０ａと２０ｂとの間に掛け渡された一対の帯体２３および２４を備え、帯体２３は、矩形状部２０ａの内側で一端部２３ａが固定され、他端部２３ｂに、後述する押し下げ部材Ｇが接続される接続部２５が形成されている。
同様に、帯体２４は、矩形状部２０ｂの内側で一端部２４ａが固定され、他端部２４ｂに押し下げ部材Ｇが接続される接続部２６が形成されている。
【００２２】
接続部２５は、上下方向に挿通孔２５ａが穿設されるとともに、ガイド筒２０の矩形状部２０ｂの上端部に、破断可能なブリッジ２７で連設されている。
同様に、前記接続部２６は、上下方向に挿通孔２６ａが穿設されるとともに、ガイド筒２０の矩形状部２０ａの上端部に、破断可能なブリッジ２８で連設されている。
なお、本実施例では、ガイド筒２０の対向する矩形状部２０ａと２０ｂとの間に掛け渡された２本の帯体２３および２４を備えているが、原理的には、帯体は１本でも構わないし、ポンプヘッドの大きさや形状等により、２本以上、適宜の本数を設けることができる。
また、帯体を２本以上備える場合は、帯体の一端部をポンプヘッドを挟んで対向する位置に設ける必要はなく、必要に応じて、帯体の一端部を適宜の位置に固定して設けることができる。さらに、２本以上の帯体は、ポンプヘッドの上面を平行に掛け渡す必要はなく、３本を三角形に並べたり、４本を四角形に並べて掛け渡すようにしてもよい。
【００２３】
押し下げ部材Ｇは、図５に示すように、平面視で円形の頂壁３０と、頂壁３０の外縁から垂設される円筒状の外周壁３１とからなる押し下げヘッド３２を備え、押し下げヘッド３２は、ノズル１４の通過を許容するために、外周壁３１の前面に形成されたスリット部３３と、外周壁３１の開放された下端部に、平面視で左右が矩形状に張り出した張出部３４および３５とを備えている。
張出部３４および３５は、前述したガイド筒２０の案内溝２０ｃおよび２０ｄに沿って上下動可能に構成され、さらに、帯体２３および２４の接続部２５および２６の挿通孔２５ａおよび２６ａに挿通される接続突起３６および３７が張出部３４および３５の下面から垂設され、接続突起３６および３７の下部には、係止片３６ａおよび３７ａが外側に向けて突設されている。
【００２４】
帯体２３および２４は、図４（ｃ）および（ｄ）に示す２条のガイド溝４０および４１により下方からガイドするレールガイド４２と、上方から押さえる図４（ａ）および（ｂ）に示す帯体押えカバー４３とによって上下から挟み込まれている。
前記帯体押えカバー４３は、上面に穿設された２条の帯体通過孔４４、４５と、前端部及び後端部から下方に垂設された係合突部４６および４７とを備え、レールガイド４２は、帯体押えカバー４３の係合突部４６および４７がそれぞれ挿入される係合孔４８および４９を備えている。
【００２５】
ここで、本実施例の使用態様と作用効果について説明する。
アシスト機構Ｅを組み立てる際には、まず、図３に示す一体成形されたガイド部材Ｆに対して図４（ｃ）および（ｄ）に示すレールガイド４２を下方から挿入し、帯体２３および２４をガイド溝４０および４１に合わせた後、上方から図４（ａ）および（ｂ）に示す帯体押えカバー４３の係合突部４６および４７をレールガイド４２の係合孔４８および４９に挿通することにより、レールガイド４２と帯体押えカバー４３とのセットを完了する。
【００２６】
つぎに、図６に示すように、ガイド部材Ｆの上方から押し下げ部材Ｇの接続突起３６および３７を接続部２５および２６の挿通孔２５ａおよび２６ａに挿通すると、接続突起３６および３７の係止片３６ａおよび３７ａが挿通孔２５ａおよび２６ａの下端部に係止し、接続突起３６および３７が接続部２５および２６から抜けてしまうことを防止できる。その後、さらに押し下げ部材Ｇを押し込むことにより、接続部２５および２６と矩形状部２０ｂおよび２０ａとを連接するブリッジ２７および２８を破断して、押し下げ部材Ｇの張出部３４および３５をガイド部材Ｆの案内溝２０ｃおよび２０ｄに嵌入することによりアシスト機構Ｅの組立は、完了する。
【００２７】
組立が完了したアシスト機構Ｅをポンプ容器に取り付けるには、図１および２に示すように、ポンプヘッドＤの上方からノズル１４がガイド筒２０のスリット部２２から突出するようにガイド部材Ｆを被せ、装着部２１を取付キャップＢに嵌合する。
これと同時に、帯体２３および２４をガイドするレールガイド４２の下面にポンプヘッドＤが嵌合する。
以上のようにして、アシスト機構Ｅをポンプ容器に着脱自在に装着することができる。
なお、本実施例では、アシスト機構Ｅをポンプ容器に着脱自在に装着できるようにしているが、ガイド筒２０を取付キャップＢと一体化して、アシスト機構を取付キャップから取り外せないようにしても構わない。
【００２８】
容器本体Ａ内の内容液を吐出する際には、図１に示す状態から図７に示すように、矢印方向へ押し下げヘッド３２を押し下げると、帯体２３および２４は、一端部２３ａおよび２４ａがガイド筒２０の矩形状部２０ａおよび２０ｂに固定されているのに対し、他端部２３ｂおよび２４ｂに接続された接続部２５および２６が押し下げヘッド３２の接続突起３６および３７によって下方へ牽引されるために、その中間部に位置するポンプヘッドＤは、レールガイド４２を介して押し下げることになる。
【００２９】
この際に、帯体２３および２４は、「てこの原理」を応用して、一端部２３ａおよび２４ａが支点として機能し、他端部２３ｂおよび２４ｂが力点として機能し、さらに、ポンプヘッドＤを押圧する中間部が作用点として機能することから、内容液を吐出するために、アシスト機構Ｅの押し下げ部材Ｇを押し下げる際の押し込み荷重は、ポンプ容器のポンプヘッドＤを直接押し下げる場合に比べて、概ね半分に低減することができる。
【００３０】
以上のように、本実施例では、アシスト機構ＥによりポンプヘッドＤを押し下げると、筒体１７の内周が案内筒６の外周に沿って押し下げられて、ポンプＣ内の空気用シリンダー１０および液用シリンダー１１を作動させることにより、空気および内容液を気液混合室に供給して合流させ、発泡部材を通して泡立たせた後、ポンプヘッドＤのノズル１４の開口部１５から泡状の内容液を外部へ吐出するようになっている。
【００３１】
なお、本実施例では、ポンプＣとして、ノズル１４の開口部１５から泡状の内容液を吐出するいわゆるフォーマーポンプを示したが、これに代えて、開口部１５から内容液を泡立たせずに吐出するポンプであっても構わないし、あるいは、いわゆるエアゾール式のポンプであっても構わない。
【実施例２】
【００３２】
次に、ポンプ容器のアシスト機構に押圧レバー部材を付加した第２実施例について説明する。
以下、第１実施例と同一の構成部分には同一の符号を付し、異なる構成部分のみ異なる符号を付して相違点を中心に説明する。
【００３３】
図８および図９において、Ａは内容液を収容する容器本体、Ｂは容器本体Ａに取着された取付キャップ、Ｃは取付キャップＢに装着されたポンプ、ＤはポンプＣの上端に設けられたポンプヘッド、ＥａはポンプヘッドＤの押し下げをアシストするためのアシスト機構である。
【００３４】
アシスト機構Ｅａは、取付キャップＢの側周壁７に取着されるガイド部材Ｆａと、ガイド部材Ｆａに対して上下方向に摺動可能な押し下げ部材Ｇａと、ガイド部材Ｆａに支持された後端部の支点と、押し下げ部材Ｇａに接続された中間部の作用点と、手指を掛ける前端部の力点とを有する押圧レバー部材Ｈとから構成されている。
ガイド部材Ｆａは、上端部および下端部がともに開放され、全体として円筒状のガイド筒５０を備え、ガイド筒５０は、その下部の内径が取付キャップＢの側周壁７の外径に合わせて上部よりも大径に形成された装着部５１と、装着部５１の上部にその内径が装着部５１の内径よりも小さいガイド部５２とから構成されている。
【００３５】
ガイド部５２は、図８（ａ）および図９（ａ）に示すように、平面視で左右が矩形状に張り出した矩形状部５２ａおよび５２ｂを備え、ガイド部５２の前面には、ポンプヘッドＤのノズル１４の通過を許容するスリット部５３が形成されている。
ガイド筒５０は、ガイド部５２の対向する矩形状部５２ａと５２ｂとの間に掛け渡された一対の帯体２３および２４を備え、帯体２３は、矩形状部５２ａの内側で一端部２３ａが固定され、帯体２４は、矩形状部５２ｂの内側で一端部２４ａが固定されている。
【００３６】
さらに、ガイド部材Ｆａは、ガイド筒５０の後面から斜め上方に向けて突設された支持アーム５４を備え、図９（ａ）に示すように、支持アーム５４は、一定の幅をもって形成された背面壁５５と、背面壁５５の両側端からガイド筒５０に向けて幅方向に一定の間隔をおいて対向配置された一対の側面壁５６とを備えている。
支持アーム５４の上部には、後述する押圧レバー部材Ｈの支点（回動中心）となる枢支軸５７が両方の側面壁５６から外側に向けて突設されている。
【００３７】
押し下げ部材Ｇａは、平面視で円形の頂壁６０と、頂壁６０の外縁から垂設される円筒状の外周壁６１とからなる押し下げヘッド６２を備え、押し下げヘッド６２は、ノズル１４の通過を許容するために、外周壁６１の前面に形成されたスリット部６３と、外周壁６１の開放された下端部に、平面視で左右が矩形状に張り出した張出部６１ａおよび６１ｂとを備えている。
張出部６１ａおよび６１ｂは、前述したガイド部５２の矩形状部５２ａおよび５２ｂの内側に沿って上下動可能に構成され、さらに、図９（ｂ）に示すように、帯体２３および２４の他端部２３ｂおよび２４ｂは、張出部６１ａおよび６１ｂに接続されている。
【００３８】
さらに、押し下げ部材Ｇａは、押し下げヘッド６２の頂壁６０の上面に、接続部として、平面視で前後方向に延びる一対の接続片６４が立設され、接続片６４には、後述する押圧レバー部材Ｈの作用点となる押圧軸６５が両方の接続片６４から外側に向けて突設されている。
【００３９】
押圧レバー部材Ｈは、一定の幅をもって、滑らかに屈曲しながら前後方向に延びる天面壁７０と、天面壁７０の両側端から幅方向に一定間隔をおいて対向配置された一対の側壁７１とを備えている。
側壁７１の後方には、図９（ａ）に示すように、支持アーム５４を構成する側面壁５６の上部を挟持するように、幅方向に一定間隔をおいて対向配置された一対の支点部７３が形成され、図８（ｂ）に示すように、支点部７３には、前記側面壁５６から幅方向外側に向けて突設された枢支軸５７に軸支されて押圧レバー部材Ｈを回動可能に保持する溝部７２が形成されている。
【００４０】
さらに、図８および図９（ｂ）に示すように、側壁７１の中間部付近から押し下げ部材Ｇａの接続片６４を挟持するように、幅方向に一定間隔をおいて対向配置された一対の作用部７５が延設され、作用部７５の内側には、前記接続片６４の外側から突設された押圧軸６５と嵌合する長穴７４が凹設されている。
【００４１】
ここで、本実施例の使用態様と作用効果について説明する。
アシスト機構Ｅａを組み立てる際には、まず、第１実施例と同様に、押し下げ部材Ｇａの張出部６１ａおよび６１ｂをガイド部材Ｆａの矩形状部５２ａおよび５２ｂの内側に嵌入して、ガイド部材Ｆａと押し下げ部材Ｇａとのセットを完了する。
つぎに、図８に示すように、ガイド部材Ｆａに設けられた支持アーム５４の上方から押圧レバー部材Ｈの支点部７３を被せるようにして、溝部７２を枢支軸５７に回動可能に装着した後、押し下げ部材Ｇａに設けられた接続片６４の上から作用部７５を被せるようにして、長穴７４を押圧軸６５に嵌合することによりアシスト機構Ｅａの組立は、完了する。
【００４２】
組立が完了したアシスト機構Ｅａをポンプ容器に取り付けるには、図８および図９に示すように、ポンプヘッドＤの上方からノズル１４がガイド部５２のスリット部５３から突出するようにガイド部材Ｆａを被せ、装着部５１を取付キャップＢに嵌合する。
【００４３】
容器本体Ａ内の内容液を吐出する際には、図８に示す状態から図１０に示すように、押圧レバー部材Ｈの力点である前端部を押し下げると、押圧レバー部材Ｈの支点である後端部は、枢支軸５７を中心に左回りに回動することにより、作用点である作用部７５の長穴７４が押し下げヘッド６２の押圧軸６５を押し下げる。
これにより、押し下げヘッド６２が押し下げられると、帯体２３および２４は、一端部２３ａおよび２４ａがガイド部５２の矩形状部５２ａおよび５２ｂに固定されているのに対し、他端部２３ｂおよび２４ｂが押し下げヘッド６２の張出部６１ａ、６１ｂによって下方へ牽引されるために、その中間部に位置するポンプヘッドＤは、押し下げられることになる。
【００４４】
この際に、押圧レバー部材Ｈは、「てこの原理」を応用して、枢支軸５７を中心に回転可能に枢支される支点部７３が支点として機能し、天面壁７０の前端部が力点として機能し、さらに、押し下げ部材Ｇａを押圧する作用部７５が作用点として機能することから、内容液を吐出するために、アシスト機構Ｅａの押圧レバー部材Ｈを押し下げる際の押し込み荷重は、実施例１のように、押し下げ部材Ｇａを直接押し下げる場合に比べて、概ね半分に低減することができる。
このように、本実施例のアシスト機構Ｅａは、内容液を吐出するために、押圧レバー部材Ｈを押し下げる際の押し込み荷重は、ポンプ容器のポンプヘッドＤを直接押し下げる場合に比べて、概ね４分の１に低減することができる。
【産業上の利用可能性】
【００４５】
本発明のポンプ容器のアシスト機構は、ノズル等の開口部から内容液を泡状にして吐出するフォーマーポンプを有するポンプ容器に限らず、内容液を液状のまま吐出するポンプや内容液を霧状にして噴霧するエアゾール式のポンプにも適用でき、内容液を吐出する際に押し下げるポンプヘッドの押し込み荷重を低減させることができるから、ポンプ容器のアシスト機構として広く使用することができ、特に、洗浄料や化粧料などのポンプ容器のポンプヘッドを押し下げて使用する必要がある内容物を充填するポンプ容器のアシスト機構として好適である。
【符号の説明】
【００４６】
Ａ        容器本体
Ｂ        取付キャップ
Ｃ        ポンプ
Ｄ        ポンプヘッド
Ｅ、Ｅａ  アシスト機構
Ｆ、Ｆａ  ガイド部材
Ｇ、Ｇａ  押し下げ部材
Ｈ        押圧レバー部材
１        口筒部
２        胴部
５        頂壁
６        案内筒
７        側周壁
１０        空気用シリンダー
１１        液用シリンダー
１４        ノズル
１５        開口部
１６        ヘッド部
１７        筒体
２０、５０  ガイド筒
２０ａ、２０ｂ、５２ａ、５２ｂ  矩形状部
２０ｃ、２０ｄ  案内溝
２１、５１  装着部
２２、３３、５３、６３  スリット部
２３、２４  帯体
２３ａ、２４ａ  一端部
２３ｂ、２４ｂ  他端部
２５、２６  接続部
２５ａ、２６ａ  挿通孔
２７、２８  ブリッジ
３０、６０  頂壁
３１、６１  外周壁
３２、６２  押し下げヘッド
３４、３５、６１ａ、６１ｂ  張出部
３６、３７  接続突起（牽引部）
３６ａ、３７ａ  係止片
４０、４１  ガイド溝
４２        レールガイド
４３        帯体押えカバー
４４、４５  帯体通過孔
４６、４７  係合突部
４８、４９  係合孔
５２        ガイド部
５４        支持アーム
５５        背面壁
５６        側面壁
５７        枢支軸
６４        接続片（接続部）
６５        押圧軸
７０        天面壁
７１        側壁
７２        溝部
７３        支点部
７４        長穴
７５        作用部
【図１】
0006679175.tif 000002
【図２】
0006679175.tif 000003
【図３】
0006679175.tif 000004
【図４】
0006679175.tif 000005
【図５】
0006679175.tif 000006
【図６】
0006679175.tif 000007
【図７】
0006679175.tif 000008
【図８】
0006679175.tif 000009
【図９】
0006679175.tif 000010
【図１０】
0006679175.tif 000011